(57)【特許請求の範囲】
【請求項１】
両開き戸の扉の裏面側に取り付け金具、取っ手装置、施錠装置及び該取っ手装置と施錠装置とを連結する作動装置を構成し、該取り付け金具に回動自在に取っ手装置を装着し、該取っ手装置における取っ手は施錠状態下では扉の側縁部より表側へ露出することなく内側に納まるように形成し、該取っ手を側縁部より露出する表側方向へ引き起こす回動により該作動装置の可動体が応動して施錠装置の施錠状態が解除される機構において、一旦取っ手が引き起こされると該施錠装置のロック手段により非施錠状態が維持され、その状態下で、該取っ手が内側方向へ押し込まれて取っ手装置が回動する範囲では、該作動装置は施錠装置を可動させることのない非連動機構として構成してなることを特徴とする耐火庫等の扉部の破損防止装置。
【請求項２】
取っ手装置が構成されている左右いずれかの扉の側縁部を、他方の扉の側縁部との合わせ面としたことを特徴とする請求項１に記載の耐火庫等の扉部の破損防止装置。
【請求項３】
非連動機構は、施錠装置のロック杆にガイド孔を形成し、該ガイド孔の孔長を作動装置の可動体に形成された係止手段の移動範囲において該ロック杆を可動させることのない自由移動を許容する長さに形成してなることを特徴とする請求項１又は２に記載の耐火庫等の扉部の破損防止装置。
【請求項４】
非連動機構は、施錠装置のロック杆に係止部を形成し、該係止部の位置を、作動装置の可動体に形成した係止手段の移動範囲において、取っ手が引き起こされた状態での可動体の係止手段の位置とし、取っ手が扉の内側に納まる位置までの移動範囲では該係止手段に対する障害物が無く、該ロック杆を可動させないことを特徴とする請求項１又は２に記載の耐火庫等の扉部の破損防止装置。
【請求項５】
ロック手段は、施錠装置のロック杆の係合部に別体の係止部材が係合され、その係合状態が維持されることにより非施錠状態とされることを特徴とする請求項１乃至４のいずれかに記載の耐火庫等の扉部の破損防止装置。
【０００１】
【発明の詳細な説明】
【発明の属する技術分野】
本発明は、耐火庫・金庫等に於ける扉部の取っ手及びその作動機構等の破損防止に関する。
【０００２】
【従来の技術】
従来より使用されている両開き扉タイプの耐火庫・金庫等に於いて、片側の扉の取っ手を扉の表面側に露出させない構造を採用しているものがある。上記構造のものにあっては、両開きタイプの扉であっても、取っ手が左右の扉に各々形成されること無く、片開き扉同様１個の取っ手のみが扉表面側に露出することに成るので、取っ手が邪魔にならず、また見た目もシンプルであった。
上記構造の両開き扉は、片方の隠蔽されている側の取っ手が扉の側縁部に形成されているので、一方の扉を開放することにより、露出する上記扉の側縁部に形成されている取っ手を扉の表側へ引き起こしてその扉を開けるようにしている。
【０００３】
左右の扉の合わせ面と成る左扉の側縁部に形成されている該取っ手を扉の表側へ引き起こすと、該取っ手の移動に応動して扉と耐火庫本体とのロックが解除されるように構成され、同時に、当該扉と耐火庫本体とのロックを解除した状態が維持出来るように、該ロック機構を扉に引き込ませた状態でロックされるように構成されている。
【０００４】
【発明が解決しようとする課題】
上記のような取っ手を有する扉（以下便宜上、左扉という）にあっては、左扉を開放した状態で、左扉の取っ手を扉の側縁部より扉の表側へ一度引き起こすと、その引き起こしによりロック機構が作動し、当該取っ手は突出したままの状態で維持されることになる。
左扉を閉鎖する時に、該左扉が完全に閉め切れていない状態（取っ手が突出している状態）で右扉を閉めると、該右扉と左扉の側縁部より突出している取っ手が衝突することに成る。また、右扉の衝突に限らず、左扉が開放している状態で左扉の取っ手に何等かの負荷が作用することもある。
上記のように、取っ手装置、施錠装置、作動装置等がロックされている状態で、該取っ手に衝突や何等かの負荷が作用することに成ると、当該取っ手及び上記各装置の作動機構等にその衝撃が直接伝わることに成り、それらの変形や破損を生じる原因と成っていた。
【０００５】
【課題を解決するための手段】
本発明は、上記欠点を解決するために成されたもので、上記のように左扉が閉めきらない状態で右扉が当接したり或いは左扉の取っ手に何らかの負荷が作用した場合であっても、当該取っ手やその作動機構等に損傷を与えることのない耐火庫・金庫等に於ける扉部の取っ手及び施錠装置のロック機構等の破損防止手段を提供するものである。その具体的構成として、本発明は、両開き戸の扉の裏面側に取り付け金具、取っ手装置、施錠装置及び該取っ手装置と施錠装置とを連結する作動装置を構成し、該取り付け金具に回動自在に取っ手装置を装着し、該取っ手装置における取っ手は施錠状態下では扉の側縁部より表側へ露出することなく内側に納まるように形成し、該取っ手を側縁部より露出する表側方向へ引き起こす回動により該作動装置の可動体が応動して施錠装置の施錠状態が解除される機構において、一旦取っ手が引き起こされると該施錠装置のロック手段により非施錠状態が維持され、その状態下で、該取っ手が内側方向へ押し込まれて取っ手装置が回動する範囲では、該作動装置は施錠装置を可動させることのない非連動機構として構成してなる耐火庫等の扉部の破損防止装置を特徴とする。
【０００６】
また、取っ手装置が構成されている左右いずれかの扉の側縁部を、他方の扉の側縁部との合わせ面とした耐火庫等の扉部の破損防止装置を特徴とする。
【０００７】
更に、非連動機構は、施錠装置のロック杆にガイド孔を形成し、該ガイド孔の孔長を作動装置の可動体に形成された係止手段の移動範囲において該ロック杆を可動させることのない自由移動を許容する長さに形成してなる扉部の破損防止装置を特徴とする。
【０００８】
また、非連動機構は、施錠装置のロック杆に係止部を形成し、該係止部の位置を、作動装置の可動体に形成した係止手段の移動範囲において、取っ手が引き起こされた状態での可動体の係止手段の位置とし、取っ手が扉の内側に納まる位置までの移動範囲では該係止手段に対する障害物が無く、該ロック杆を可動させない耐火庫等の扉部の破損防止装置を特徴とする。
【０００９】
更に、ロック手段は、施錠装置のロック杆の係合部に別体の係止部材が係合され、その係合状態が維持されることにより非施錠状態とされる耐火庫等の扉部の破損防止装置を特徴とする。
【００１０】
【発明の実施の形態】
本発明の耐火庫等の扉部の破損防止装置は、扉への取り付け金具２、取っ手装置３、施錠装置４及び該取っ手装置３と施錠装置４とを連動させる作動装置５とより構成されている。
【００１１】
以下、実施例に基づいて詳述する。
【実施例１】
図１は、耐火庫、金庫等の本体１の斜視図を示し、その前面には左右に両開き扉（観音開き扉）が形成されている。
従って、扉は左右に２個形成され、本発明は、右扉にあっては取っ手装置の一部の取っ手や施錠装置の一部のダイヤル錠等がその前面側に露出形成されているが、左扉にあっては全ての装置が扉の内側に形成されている。
【００１２】
本発明の対象と成る上記構成の両開きタイプの扉は、右扉の施錠装置の施錠状態を解除し、該右扉を開放した後、他方の左扉を開放することに成る。
従って、その左右の扉に各々施錠装置が形成され、右扉はダイヤル錠等の施錠装置の操作により施錠状態を解除し、右扉の前面に形成されている取っ手６を回動することにより閂等のロック機構を外し、当該右扉を開放することに成るが、他方の左扉にあっては、右扉の解放によって露出した左扉の側縁部に形成された取っ手１２を引き起こすことによってロック状態を解除することに成る。
【００１３】
以下、本発明の耐火庫、金庫等の扉部の破損防止装置について詳述する。
図２は、左右の扉を閉鎖した状態の左扉の裏面側に配設された扉部の破損防止装置を示す斜視図で、左扉の裏側の側面側に形成された取っ手装置３は、耐火庫等の左扉の裏面側の側縁部に隣接して固定されており、左扉が閉鎖されている状態では、左扉と本体とは施錠装置４によりロックされていると同時に、作動装置５により取っ手装置３の取っ手１２は施錠装置４側へ引き寄せられているので、該取っ手１２は左扉の側縁部に引き込まれた状態とされている。
【００１４】
上記取り付け金具２は、基盤部７、該基盤部７の両側縁部より立ち上げた左右の側壁部８、８’及び片側の側壁部８の上下に形成したフランジ部９、９’とより構成されている。
上記基盤部７は、左扉の裏面側に固定され、フランジ部９、９’の先端部を左扉の側縁部の裏面側に当接するようにして固定している。
【００１５】
上記取っ手装置３は、取り付け金具２の側壁部８に取り付けた断面略ハット型形状の固定金具１０、該固定金具１０の上下のフランジ間に掛け渡された軸１１及び該軸１１を中心として所定角度回動自在に形成した取っ手１２とより構成されている。
【００１６】
取っ手１２は略Ｚ型形状をし、その先端の周囲は合成樹脂や他の材料等の適宜手段によって被覆され、且つ把持し易いように適宜形状のものが採用される。
【００１７】
上記作動装置５は、取り付け金具２の他方の側壁部８’の下方部分に固定された断面略コ字型形状の固定金具１３、該固定金具１３の左右のフランジ部１４、１４’間に掛け渡された軸１５、上記取っ手装置３の取っ手１２と固定金具１３の軸１５間に架け渡された棒状の作動杆１６、及び該軸１５を中心として回動自在に形成された略Ｌ字型形状の回動部材１７とより構成されている。
【００１８】
上記作動杆１６の一端側は、取っ手装置３の取っ手１２の裏面側と回動自在に連結され、他端側は略Ｌ字型形状の回動部材１７の一方の突出部に形成された軸１８に回動自在に軸着されている。
上記回動部材１７は、フランジ部１４、１４’間に横架された軸１５を中心として所定角度回動自在とされ、そのＬ字型形状の一方の突出部には上記のように軸１８が形成され、該軸１８により作動杆１６と回動自在に連結され、他方の突出部にはピン１９が突出形成されている。
また、該軸１５とピン１９間にはバネ２０等の発条体が取り付けられ、該軸１５を中心として該ピン１９側を上方に押し上げる反時計回り方向に付勢している。
【００１９】
上記施錠装置４は、上下方向に延設する上部ロック杆２１、下部ロック杆２２、該上・下部のロック杆２１、２２を中継する位置に形成された軸２３を中心として回動自在とした回動半円板２４、上記回動部材１７と対向する位置の下部ロック杆２２に形成したガイド孔２５、該上・下部のロック杆２１、２２のロック手段と成る切り欠き係合部２６、及び該切り欠き係合部２６と対向する位置に扉の裏面側に固定されたロック手段を有する回動体３５とより構成されている。
上記回動体３５は、図３に示すように、一端部に係止部材３２、他端部に当接杆３３の進退を保持する支持部材３４とが形成され、軸３１を中心として回動自在に形成されている。
また、上記回動体３５はバネ３６の付勢力により、その先端部に形成された係止部材３２を下部ロック杆２２側へ回動させるように軸３１を中心として常時時計回り方向に付勢している。
【００２０】
上記上・下部のロック杆２１、２２の各々の先端部には、耐火庫本体１の枠等に係合する閂等のロック部材２７、２８が形成されている。
上記下部ロック杆２２に形成されたガイド孔２５は、該下部ロック杆２２の延設方向と成る上下方向に長孔が形成され、該ガイド孔２５には前記回動部材１７に形成したピン１９が係合し、該ピン１９はガイド孔２５内を上下方向に移動するように形成されている。
上記ガイド孔２５の長孔の長さは、上記ピン１９の上下方向へ移動する移動距離に相当するように形成している。
【００２１】
本実施例では上記ガイド孔２５は、下部ロック杆２２より連結突出した補強板２９に形成されている。そして該下部ロック杆２２にはバネ３０等の発条体が扉裏面との間に形成され、該バネ３０は下部ロック杆２２を常時下方に引っ張るように付勢され、扉の閉鎖時には、その先端に形成されたロック部材２８を本体１にロックする。
また、下部ロック杆２２が下方に引っ張られている状態では、回動半円板２４は軸２３を中心として時計回り方向に回動した状態で維持されており、上部ロック杆２１は上方へ引き上げられ、その先端のロック部材２７も本体１にロックされている。
【００２２】
図３は、図２に連続する図を示し、左扉の裏面側に形成されている施錠装置４を示すもので、左扉が閉鎖されている状態を示している。
左扉が閉められると、当接杆３３の一端部が耐火庫本体１に当接し、該当接杆３３が下部ロック杆２２側へ押され、バネ３６の付勢力に抗して回動体３５を軸３１を中心として反時計回り方向に回動し、係止部材３２と下部ロック杆２２の切り欠き係合部２６との係合状態が外れる。上記係合状態が解除されると、下部ロック杆２２はバネ３０の付勢力により下降し、該下部ロック杆２２の先端のロック部材２８を本体１にロックすることに成る。
【００２３】
上記のように、下部ロック杆２２が下降すると、該下部ロック杆２２の補強板２９に形成されているガイド孔２５のピン１９も下方に移動する。該ピン１９の下方への移動によりピンが形成されている回動部材１７は、軸１５を中心に時計回り方向に回動することに成り、これにより作動杆１６は施錠装置４側へ引っ張られ、該作動杆１６の他端側に形成されている取っ手１２は扉の内側へ引き込むことに成る。
【００２４】
図４、図５は左扉を開放し、取っ手１２を引き起こした状態を示しており、図４は扉裏面側の側縁部側の装置を示し、図５はそれに連続する施錠装置４側等を示している。
右扉を開放すると、左右の扉の合わせ面が離れ、左扉の側縁部が露出する。側縁部の露出により該側縁部に形成されている取っ手１２を、バネ３０の付勢力に抗して左扉の表側へ引き起こすことが出来る状態と成る。
【００２５】
上記取っ手１２を左扉の表側へ引き起こすことにより、取っ手装置３、施錠装置４、作動装置５等は図２、３に示した状態から、図４、５に示した状態へと移行する。図２、３の状態では回動部材１７はバネ２０の付勢力に抗して時計回り方向へ回動させられているが、上記のように左扉の側縁部が開放され、係止部材３２と切り欠き係合部２６との係合が外れていても、下部ロック杆２２に形成されているバネ３０の付勢力がバネ２０の付勢力より強く形成されているので、取っ手１２はそのままの状態が維持されていることに成る。
その状態で取っ手１２を把持し、力を入れることによりバネ３０の付勢力に抗して取っ手１２を左扉の表側へ引き起こすことが出来る。そうすると、作動杆１６及び軸１８が応動して取っ手１２側へ引っ張られ、回動部材１７は軸１５を中心として反時計回り方向へ回動することに成る。この回動により、ガイド孔２５に配設され、その長孔の上端に当接しているピン１９は上方へ持ち上げられることに成り、それにより下部ロック杆２２もバネ３０の付勢力に抗して上方へ引き上げられることに成る。
【００２６】
上記下部ロック杆２２が上方へ引き上げられて行くと、バネ３６により軸３１を中心として時計回り方向に回転力が付与されている回動体３５の係止部材３２は、下部ロック杆２２の切り欠き係合部２６と係合される。
上記係止部材３２と切り欠き係合部２６との係合により下部ロック杆２２は上昇した状態でロックされることに成る。
【００２７】
従って、上記下部ロック杆２２が上昇しロックされている状態、すなわち左扉が開放されている状態では、閂等のロック部材２７、２８は扉内に引き込まれた状態で維持されることに成る。
【００２８】
上記のように、取っ手１２を一度引き起こすとロック状態と成り、取っ手１２は扉の側縁部より突出している状態を維持することに成るが、その状態の時に何らかの負荷により取っ手１２が扉の内側へ押されることがある。
図６は、取っ手１２が引き起こされている状態の時に、該取っ手１２が扉の内側へ押し込まれた状態を示している。該取っ手１２が押し込まれると、作動杆１６は軸１８側へ応動し、その押圧力により、軸１８と軸着されている回動部材１７を軸１５を中心として時計回り方向へと回動させることに成る。これは取っ手装置３、施錠装置４、作動装置５等が、図４、５の状態から図６の状態へと変化することを示している。
【００２９】
上記回動部材１７が軸１５を中心として時計回り方向へ回動すると、下部ロック杆２２は回動体３５の係止部材３２によりロックされているので、該下部ロック杆２２が下方に移動することは無く、該回動部材１７に形成されたピン１９が、ガイド孔２５の長孔内を移動することに成る。従って、上記ピン１９は、ガイド孔２５の長孔内をその上端部から下端部へと移動することに成る。その際、下部ロック杆２２はロックされているので施錠装置４側に部材の移動は生じ無い。
【００３０】
上記左扉が開放している状態から、閉鎖状態へと左扉を閉じると、図３に示すように、当接杆３３の先端部が耐火庫本体１に当接し、回動体３５が軸３１を中心として反時計回り方向に回動し、係止部材３２と下部ロック杆２２の切り欠き係合部２６との係合状態が外れることに成る。
この状態では、作動装置５の回動部材１７に作用しているバネ２０の付勢力より、下部ロック杆２２を下方へ引っ張るバネ３０の付勢力の方が強く形成されているので、該下部ロック杆２２は下降する。この移動により、上・下部のロック杆２１、２２の先端に形成されたロック部材２７、２８は左扉内より突出し、本体１にロックされる。
【００３１】
同時に、下部ロック杆２２に形成されたガイド孔２５の長孔の上端部に位置しているピン１９は、バネ２０の付勢力に抗して該長孔の上端部に押されて下方に移動することに成る。それにより回動部材１７は軸１５を中心として時計回り方向へ回動することに成る。上記回動部材１７の回動により、作動杆１６が軸１８側へ引っ張られ、取っ手１２は左扉の側縁部に収まることに成る。
【００３２】
【実施例２】
図７は、回動部材とロック杆との関係を示す他の実施例を示すものである。
下部ロック杆２２に形成した補強板２９に換えて突起板２９’を設け、該突起板２９’の先端部に係止部を形成している。従って、係止部の下方側には障害物が無く、その係止部の下方空間は回動部材１７’のピン１９’が移動する空間とされ、係止部が上記ガイド孔２５の長孔の上端部の役割をしている。
【００３３】
【実施例３】
図８は、本発明の耐火庫等の扉部の破損防止装置の他の実施例を示したもので、実施例１の軸１５に形成したバネ２０の位置を他の箇所としたものである。バネ３７は、取り付け金具２の側壁部８と作動装置４の作動杆１６との間に架け渡している。
当該実施例３のものも該バネ３７によって前記実施例１と同様に取っ手１２を突出させる方向に付勢しており、取っ手装置３、施錠装置４、作動装置５等の作用は上記実施例１、２のものと同様である。
【００３４】
上記の通り、本発明の耐火庫等の扉部の破損防止装置についてその構成及び作用について耐火庫にそって説明したが、その対象は耐火庫に限定されるものでは無い。また、本発明の取り付け金具、取っ手装置、施錠装置、作動装置等に於いて示された具体的構成は、その実施例のみに限定されるものでは無い。
例えば、バネの位置、ピンとロック杆との関係、ロック杆の切り欠き係合部と係止部材との関係等は、様々な形態のものが考えられる。
【００３５】
【発明の効果】
上記構成より成る本発明の耐火庫等の扉部の破損防止装置は、扉を開放した状態で、側縁部に形成された取っ手１２に何等かの負荷が生じ、該取っ手１２が内側へ押し込まれたとしても、該取っ手１２と連結されている作動装置５の一端部の回動部材１７に形成したピン１９等の可動体が、ロック状態とされている下部ロック杆２２に形成された可動空間内を移動するのみで、上記負荷によって生じた衝撃をその可動体の移動によって吸収することが可能と成った。
上記衝撃の吸収により、取っ手や他の作動機構等に前記負荷がそのまま衝撃力として伝達されることが無く、それら部品や装置等を破損させることが無くなった。
【図面の簡単な説明】
【図１】本発明の扉部の破損防止装置を備えた耐火庫等の斜視図。
【図２】本発明の耐火庫等の扉部の破損防止装置の扉を閉鎖した状態を示す斜視図。
【図３】本発明の耐火庫等の扉部の破損防止装置の扉を閉鎖した状態を示す斜視図。
【図４】本発明の耐火庫等の扉部の破損防止装置の扉を開放した状態を示す斜視図。
【図５】本発明の耐火庫等の扉部の破損防止装置の扉を開放した状態を示す斜視図。
【図６】本発明の耐火庫等の扉部の破損防止装置の扉を開放した状態で取っ手が押し戻された時の斜視図。
【図７】本発明の耐火庫等の扉部の破損防止装置の扉を閉鎖した状態を示す他の実施例の斜視図。
【図８】本発明の耐火庫等の扉部の破損防止装置の扉を開放した状態を示す他の実施例の斜視図。
【符号の説明】
１            耐火庫本体
２            取り付け金具
３            取っ手装置
４            施錠装置
５            作動装置
７            基盤部
８、８’      側壁部
９、９’      フランジ部
１０          固定金具
１１          軸
１２          取っ手
１３          固定金具
１４、１４’  フランジ部
１５          軸
１６          作動杆
１７、１７’  回動部材
１８          軸
１９、１９’  ピン
２０          バネ
２１          上部ロック杆
２２          下部ロック杆
２３          軸
２４          回動半円板
２５          ガイド孔
２６          切り欠き係合部
２７、２８    ロック部材
２９          補強板
２９’        突起板
３０          バネ
３１          軸
３２          係止部材
３３          当接杆
３４          支持部材
３５          回動体
３６          バネ
３７          バネ
【図１】
0003990096.tif 000002
【図２】
0003990096.tif 000003
【図３】
0003990096.tif 000004
【図４】
0003990096.tif 000005
【図５】
0003990096.tif 000006
【図６】
0003990096.tif 000007
【図７】
0003990096.tif 000008
【図８】
0003990096.tif 000009